(57)【要約】【課題】複数の排水孔を設けることで、土壌含水量の均一化を図るとともに、園芸作業による排水や、培養土やゴミ等をスムースに外部へと排出することができ、安定的な園芸作業が行える園芸療法用作業台を提供すること。【解決手段】園芸療法用作業台１０を所定の高さの周壁で囲まれるとともに、底面１４を前後に段差状とし、底面１４前部を底上げ段部１６としてなり、さらに、底面１４後部に排水用の排水孔１８が複数設けられている園芸用テーブル部１２と、所定の高さの周壁で囲まれるとともに、その開口側が園芸用テーブル部１２の裏面に取り付けられることで、園芸用テーブル部１２の排水孔１８から流出される排水を集約する排水集約テーブル部２０とを備え、排水集約テーブル部２０の底面には、集約される排水を外部へと流出可能な流出孔２２が設けられているとともに、その底面が流出孔２２側に向かい漸次下方へ傾斜する形状となっていることで、排水を流出孔２２へ流出させる構成とした。【選択図】図１
2014003911.tif 000002
【特許請求の範囲】
【請求項１】
所定の高さの周壁で囲まれるとともに、底面を前後に段差状とし、当該底面前部を底上げ段部としてなり、さらに、前記底面後部に排水用の排水孔が複数設けられている園芸用テーブル部と、
所定の高さの周壁で囲まれるとともに、その開口側が前記園芸用テーブル部の裏面に取り付けられることで、前記園芸用テーブル部の排水孔から流出される排水を集約する排水集約テーブル部と、
を備え、
前記排水集約テーブル部の底面には、前記集約される排水を外部へと流出可能な流出孔が設けられているとともに、その底面が前記流出孔側に向かい漸次下方へ傾斜する形状となっていることで、前記排水を前記流出孔へ流出させる構成となっていること
を特徴とする園芸療法用作業台。
【請求項２】
所定の高さの周壁で囲まれるとともに、底面を前後に段差状とし、当該底面前部を底上げ段部としてなり、さらに、前記底面後部に排水用の排水孔が複数設けられている園芸用テーブル部と、
前記園芸用テーブル部の底面後部に載置されることにより、その上面が、前記底上げ段部の上面と面一となるよう形成されている１又は複数の嵩上げ台と、
所定の高さの周壁で囲まれるとともに、その開口側が前記園芸用テーブル部の裏面に取り付けられることで、前記園芸用テーブル部の排水孔から流出される排水を集約する排水集約テーブル部と、
を備え、
前記排水集約テーブル部の底面には、前記集約される排水を外部へと流出可能な流出孔が設けられているとともに、その底面が前記流出孔側に向かい漸次下方へ傾斜する形状となっていることで、前記排水を前記流出孔へ流出させる構成となっていること
を特徴とする園芸療法用作業台。
【請求項３】
前記排水集約テーブル部は、前記園芸用テーブル部の裏面に着脱自在に取り付けられていることを特徴とする請求項１又は２記載の園芸療法用作業台。
【発明の詳細な説明】
【技術分野】
【０００１】
本発明は、例えば、老人養護施設や病院に設置して車椅子利用者が車椅子のまま植物の栽培を行えるようにするものであって、詳しくは、栽培作業の際に生じる排水をスムースに行え、また、培養土やゴミ等を簡易に排除できるように構成した園芸療法用作業台に関するものである。
【背景技術】
【０００２】
従来から、車椅子利用者に対し、身体的、精神的、社会的に良い状態を求めることや、損なわれた機能を回復させることを目的として、植物を育てることによる療法、いわゆる園芸療法というものが採用されている。そして、その園芸療法には、車椅子利用者でも無理なく利用できる園芸療法用作業台が用いられている。
【０００３】
例えば、特許文献１には, 平面横長矩形の形状にして外周を同一高さの起立壁によって囲繞するとともに底面を前後に段差状とし該底面の後部を平坦な固定面、前部を底上げ段部とし且つ 前後に対向する起立壁の上下中間位置に該起立壁を相互に連結した引寄せ連結ボルトを設置した樹脂製又は金属製の花壇テーブルと、該花壇テーブルの横幅と略同長にして上面にその上記平坦な固定面を載置し前後方向に張出設置した張出固定条に対して長手方向複数箇所で締着固定することによって花壇テーブルの後部を幅方向一連に下支え支持した水平支持枠と、該水平支持枠両端を架設固定して上記花壇テーブルを地表から離隔した所定高さに設置することによって花壇テーブルの上記底上げ段部の下方空間を両側開放の車椅子進入スペースとする左右に一対の支柱とを備えるとともに上記左右に一対の支柱への水平支持枠両端の架設固定を、上記支柱の対向面側上端に切欠き設置した上向き開口の切欠き孔への水平支持枠両端の嵌合支持と上記支柱に設置したブラケットによる水平支持枠両端の嵌合支持とを併用して行なうとともに上記ブラケットを垂直の支柱支持片と該支柱支持片上端に水平に配置した上向き開口コ字状の受座とを具備して形成し、その支柱支持片を上記切欠き孔から支柱内に挿入固定し且つ上記受座を上記切欠き孔から支柱対向方向に突出するように支柱に該ブラケットを設置し、上記切欠き孔への水平支持枠両端の嵌合支持を該ブラケット上にこれを介して行なうとともに上記ブラケットへの嵌合支持をそのコ字状の受座に水平支持枠両端を嵌合して行ない且つこれら水平支持枠と受座とを締着固定することによって行なってなることを特徴とする車椅子利用者用花壇 が開示されている。
【０００４】
上記技術によると、車椅子進入スペースに車椅子を進入可能としたことによって、車椅子利用者が車椅子に座した状態で花壇テーブルに近寄り、花壇テーブルの土に触れたり、草花等の植物の植栽を行なうことができるとともに上記花壇テーブルを平面横長矩形としたことによってその設置スペースを可及的に小さくし、また上記花壇テーブルの支柱支持及びこれに用いる水平支持枠の支柱への架設を可及的に簡易な構造によって安定性と強度に優れるようにして、安定した設置をなし得て使い勝手の良好な車椅子利用者用花壇を提供することができるとされている。
【０００５】
また、特許文献２には、薄肉で高さの低いプラスチック製プランターと、金属パイプ製で水平方向に配置された支持部とその後側に配置された支柱部とその下端に水平方向に配置された脚部とで片持ち状に保持するプランター支持体と、を具備したことを特徴とする簡易型レイズドベッドが開示されている。
【０００６】
さらに、特許文献３には、高さの低いプラスチック製プランターと、木製で高さの低い水平方向に配置されたプランター収容部とその後側に配置された支柱部とその下端に水平方向に配置された脚部とで片持ち状に保持するプランター支持体と、を具備したことを特徴とする簡易型木製レイズドベッドが開示されており、これら技術により、この技術により、プランターの下部に車椅子に座った人間が進入できるスペースを確保するとともにプランター上面の高さを車椅子に座った人間が作業できる高さに設定できるとされている。
【先行技術文献】
【特許文献】
【０００７】
【特許文献１】特許第４２５７０５０号公報
【特許文献２】実用新案登録第３１１１３３６号公報
【特許文献３】実用新案登録第３１１３６６８号公報
【発明の概要】
【発明が解決しようとする課題】
【０００８】
しかしながら、上記特許文献１に開示されている車椅子利用者用花壇は、フラットな底の端部付近に排水口を設けているため、その周辺部は、過剰な水分が存在することはないが、全体として、水分が過剰となる部分ができてしまうため、花壇全体として、安定的な植物の栽培が行えないという指摘がされている。また、特許文献２及び３に開示されている簡易型レイズドベッドも同様に、フラットな底の端部付近に排水口を設けているため、やはり、花壇全体として、安定的な栽培が行えないと言われている。
【０００９】
本発明は、上述の課題を解決するためのもので、複数の排水孔を設けることで、土壌含水量の均一化を図るとともに、園芸作業による排水や、培養土やゴミ等をスムースに外部へと排出することができ、安定的な園芸作業が行える園芸療法用作業台を提供することにある。
【課題を解決するための手段】
【００１０】
上記目的を達成するため、本発明は、以下の技術的手段を講じている。
即ち、請求項１記載の発明は、所定の高さの周壁で囲まれるとともに、底面を前後に段差状とし、当該底面前部を底上げ段部としてなり、さらに、前記底面後部に排水用の排水孔が複数設けられている園芸用テーブル部と、所定の高さの周壁で囲まれるとともに、その開口側が前記園芸用テーブル部の裏面に取り付けられることで、前記園芸用テーブル部の排水孔から流出される排水を集約する排水集約テーブル部と、を備え、前記排水集約テーブル部の底面には、前記集約される排水を外部へと流出可能な流出孔が設けられているとともに、その底面が前記流出孔側に向かい漸次下方へ傾斜する形状となっていることで、前記排水を前記流出孔へ流出させる構成となっていることを特徴とする園芸療法用作業台である。
【００１１】
また、請求項２記載の発明は、所定の高さの周壁で囲まれるとともに、底面を前後に段差状とし、当該底面前部を底上げ段部としてなり、さらに、前記底面後部に排水用の排水孔が複数設けられている園芸用テーブル部と、前記園芸用テーブル部の底面後部に載置されることにより、その上面が、前記底上げ段部の上面と面一となるよう形成されている１又は複数の嵩上げ台と、所定の高さの周壁で囲まれるとともに、その開口側が前記園芸用テーブル部の裏面に取り付けられることで、前記園芸用テーブル部の排水孔から流出される排水を集約する排水集約テーブル部と、を備え、前記排水集約テーブル部の底面には、前記集約される排水を外部へと流出可能な流出孔が設けられているとともに、その底面が前記流出孔側に向かい漸次下方へ傾斜する形状となっていることで、前記排水を前記流出孔へ流出させる構成となっていることを特徴とする園芸療法用作業台である。
【００１２】
さらに、請求項３記載の発明は、請求項１又は２記載の園芸療法用作業台であって、前記排水集約テーブル部は、前記園芸用テーブル部の裏面に着脱自在に取り付けられていることを特徴としている。
【発明の効果】
【００１３】
本発明によると、園芸療法用作業台を園芸用テーブル部と、排水集約テーブル部の２層構造とすることで、園芸用テーブル部は、複数設けられた排水孔により、土壌含水量の均一化が図られることで、植栽の根腐れを防止することができるとともに、排水集約テーブル部は、排水の流出孔に向けて傾斜がもたされていることから、排水をスムースに外部へと排除することができる。
【００１４】
また、排水集約テーブル部は、園芸用テーブル部の裏面に着脱自在に取り外すことができるため、園芸用テーブル部の排水孔から落下してくる培養土等を簡易に取り除くことも可能である。さらに、本発明によると、園芸用テーブル部に嵩上げ台が載置されるので、園芸作業を行う面がフラットとなり、作業がしやすいというメリットがある。
【図面の簡単な説明】
【００１５】
【図１】本発明に係る園芸療法用作業台の第１の実施形態を示した図で、（ａ）は正面図、（ｂ）は平面図、（ｃ）は側面図である。
【図２】本発明に係る園芸療法用作業台の第１の実施形態を車椅子利用者が利用した状態を示すもので、（ａ）は平面図、（ｂ）は側面図である。
【図３】本発明に係る園芸療法用作業台の第２の実施形態を示した図で、（ａ）は正面図、（ｂ）は平面図、（ｃ）は側面図である。
【図４】本発明に係る園芸療法用作業台の第２の実施形態における、嵩上げ台を示した図で、（ａ）は平面図、（ｂ）は側面図、（ｃ）は斜視図である。
【図５】本発明に係る園芸療法用作業台の第３の実施形態を示した図で、（ａ）は正面図、（ｂ）は平面図、（ｃ）は側面図である。
【図６】本発明に係る園芸療法用作業台の第４の実施形態を示した図で、（ａ）は正面図、（ｂ）は平面図、（ｃ）は側面図である。
【発明を実施するための形態】
【００１６】
以下、本発明の実施形態について、図面を参照して説明する。
図１は、本発明に係る園芸療法用作業台の第１の実施形態を示した図で、（ａ）は正面図、（ｂ）は平面図、（ｃ）は側面図である。また、図２は、本発明に係る園芸療法用作業台の第１の実施形態を車椅子利用者が利用した状態を示すもので、（ａ）は平面図、（ｂ）は側面図である。そして、１０は園芸療法用作業台、１２は園芸用テーブル部、１４は底面、１６は底上げ段部、１８は排水孔、２０は排水集約テーブル部、２２は流出孔、２４は作業台支持体、２６は排水受け容器を表している。
【００１７】
本実施形態における園芸療法用作業台１０は、図１に示すように、所定の高さの周壁で囲まれた園芸用テーブル部１２が作業台支持体２４により支えられた状態で備えられており、園芸用テーブル部１２は、その底面１４が前後に段差状となっており、前部が底上げ段部１６とされ、底面１４の後部には、園芸作業時に出る排水を流出させる排水孔１８が複数設けられている。なお、本実施形態では、排水孔１８は複数設けられているが、土壌含水量の均一化が図られ、排水がスムースに行われば良いため、この数が本発明を限定するものではない。
【００１８】
園芸用テーブル部１２の底面１４が前後に段差状とし、前部が底上げ段部１６とされているのは、図２に示すように、車椅子利用者が、車椅子に乗った状態で園芸療法用作業台１０を利用する際に、車椅子の前側（前輪側）が園芸療法用作業台１０の下側に入り込みやすくするためである。
【００１９】
次に、園芸用テーブル部１２の裏面には、所定の高さの周壁で囲まれた排水集約テーブル部２０が、その開口側で取り付けられており、園芸用テーブル部１２の排水孔１８から流出される排水を漏れることなく集約することができるようになっている。また、排水集約テーブル部２０は、その底面の一方側に集約した排水を外部へと流出させる流出孔２２が設けられており、この流出孔２２から流出される排水は、作業台支持体２４に取り付けられた排水受け容器２６が受ける構成となっている。
【００２０】
そして、排水集約テーブル部２０は、底面が、流出孔２２に向かって園芸療法用作業台１０の下方へ漸次傾斜する形状となっており、排水集約テーブル部２０に流出された排水を効率的に流出孔２２に向けて流し、外部（排水受け容器２６）へと流出させることができるようになっている。なお、排水集約テーブル部２０を園芸用テーブル部１２の裏面に対して着脱自在に取り付ける構成とすれば、例えば、園芸用テーブル部１２の排水孔１８から落下してくる培養土やゴミ等を簡単に排除することもできる。特に、園芸用テーブル部１２の裏面に、スライド装置を設けておき、排水集約テーブル部２０を摺動自在に取り付けるよう構成すると、培養土やゴミ等の排除作業の効率が向上する。
【００２１】
続いて、本発明に係る園芸療法用作業台の第２の実施形態について図面を参照して説明する。符号については、２８は嵩上げ台を示している以外は、図１において示したものと同様である。
【００２２】
本実施形態における園芸療法用作業台１０は、図３に示すように、所定の高さの周壁で囲まれた園芸用テーブル部１２が作業台支持体２４により支えられた状態で備えられており、園芸用テーブル部１２は、その底面１４が前後に段差状となっており、前部が底上げ段部１６とされ、底面には、園芸作業時に出る排水を流出させる排水孔１８が設けられている。なお、本実施形態では、排水孔１８は複数設けられているが、土壌の含水量の均一化が図られ、排水がスムースに行われば良いため、この数が本発明を限定するものではない。
【００２３】
園芸用テーブル部１２の底面が前後に段差状とし、前部が底上げ段部１６とされているのは、図２に示すように、車椅子利用者が、車椅子に乗った状態で園芸療法用作業台１０を利用する際に、車椅子の前側（前輪側）が園芸療法用作業台１０の下側に入り込みやすくするためである。
【００２４】
次に、園芸用テーブル部１２の裏面には、所定の高さの周壁で囲まれた排水集約テーブル部２０が、その開口側で取り付けられており、園芸用テーブル１２の排水孔１８から流出される排水を漏れることなく集約することができるようになっている。また、排水集約テーブル部２０は、その底面の一方側に集約した排水を外部へと流出させる流出孔２２が設けられており、この流出孔２２から流出される排水は、作業台支持体２４に取り付けられた排水受け容器２６が受ける構成となっている。
【００２５】
そして、排水集約テーブル部２０は、底面が、流出孔２２に向かって園芸療法用作業台１０の下方へ漸次傾斜する形状となっており、排水集約テーブル部２０に流出された排水を効率的に流出孔２２に向けて流し、外部（排水受け容器２６）へと流出させることができるようになっている。なお、排水集約テーブル部２０を園芸用テーブル部１２の裏面に対して着脱自在に取り付ける構成とすれば、例えば、園芸用テーブル部１２の排水孔１８から落下してくる培養土やゴミ等を簡単に排除することもできる。特に、園芸用テーブル部１２の裏面に、スライド装置を設けておき、排水集約テーブル部２０を摺動自在に取り付けるよう構成すると、培養土やゴミ等の排除作業の効率が向上する。
【００２６】
続いて、園芸療法用作業台１０には、園芸用テーブル部１２の底面１４の後部に載置される嵩上げ台２８が備えられている（図４等参照）。嵩上げ台２８は、園芸用テーブル部１２の底面１４の後部に載置されることによって、その上面が、底上げ段部１６の上面と面一な状態となる。このような構成とすることによって、園芸用テーブル部１２の面が全体としてフラットとなるので、利用者にとって園芸作業がしやすくなるというメリットがある。なお、本実施形態では、嵩上げ台２８を２つ載置させているが、園芸作業がしやすいならば、１つでも良いし、排水効率が低減しなければ、３つ以上載置させるようにしても良い。
【００２７】
続いて、本発明に係る園芸療法用作業台の第３の実施形態について図面を参照して説明する。図５は、本発明に係る園芸療法用作業台の第３の実施形態を示した図で、（ａ）は正面図、（ｂ）は平面図、（ｃ）は側面図である。符号については、３０はキャスターを示している以外は、図１において示したものと同様である。
【００２８】
本実施形態における園芸療法用作業台１０は、図５に示すように、上記、第２の実施形態における園芸療法用作業台１０の作業台支持体２４の下部にキャスター３０をそれぞれ取り付けたものである。キャスター３０を取り付けておくことによって、園芸療法用作業台１０を簡易に移動させることができるため、利用者にとって使い勝手が良いというメリットがある。
【００２９】
次に、本発明に係る園芸療法用作業台の第４の実施形態について図面を参照して説明する。図６は、本発明に係る園芸療法用作業台の第４の実施形態を示した図で、（ａ）は正面図、（ｂ）は平面図、（ｃ）は側面図である。符号については、３２がカゴトレーを示している以外は、図２において示したものと同様である。
【００３０】
本実施形態における園芸療法用作業台１０は、図６に示すように、上記、第２の実施形態における園芸療法用作業台１０の底上げ段部１６と嵩上げ台２８により面一となった部分に園芸用の植物を乗せたカゴトレー３２を置いた状態となっている。予め、植物を植えた鉢をカゴトレー３２に並べておき、それをそのまま園芸療法用作業台１０に置くことができるため、作業効率の向上が図れるというメリットがある。
【符号の説明】
【００３１】
１０  園芸療法用作業台
１２  園芸用テーブル部
１４  底面
１６  底上げ段部
１８  排水孔
２０  排水集約テーブル部
２２  流出孔
２４  作業台支持体
２６  排水受け容器
２８  嵩上げ台
３０  キャスター
３２  カゴトレー
【図１】
2014003911.tif 000003
【図２】
2014003911.tif 000004
【図３】
2014003911.tif 000005
【図４】
2014003911.tif 000006
【図５】
2014003911.tif 000007
【図６】
2014003911.tif 000008